(57)【要約】【課題】着信音や画面表示に頼ることなく、ある程度離れた位置からでも、端末の状態を確認することが可能な移動通信端末を提供する。【解決手段】本発明の移動通信端末は、制御部と、音声入出力部と、制御部及び音声入出力部に接続された音声符号化／復号化部と、制御部に接続されたデータ入出力部と、制御部及び音声符号化／復号化部に接続された無線通信回路と、無線通信回路に接続されたアンテナと、制御部に接続され、制御部からの指示に応じて少なくとも１つの発光態様で発光する発光部と、制御部に接続され、移動通信端末についての少なくとも１つの状態の各々と少なくとも１つの発光態様の各々との対応関係を記憶する記憶部とからなる。当該移動通信端末は、移動通信端末の状態に関する情報を受信した制御部が、記憶部に記憶された対応関係を参照して、その状態に対応する発光態様で発光するよう発光部に指示を送るように動作する。【選択図】図１
2008166953.tif 000002
【特許請求の範囲】
【請求項１】
移動通信端末であって、
制御部と、
音声入出力部と、
前記制御部及び前記音声入出力部に接続された音声符号化／復号化部と、
前記制御部に接続されたデータ入出力部と、
前記制御部及び前記音声符号化／復号化部に接続された無線通信回路と、
前記無線通信回路に接続されたアンテナと、
前記制御部に接続され、前記制御部からの指示に応じて少なくとも１つの発光態様で発光する発光部と、
前記制御部に接続され、前記移動通信端末についての少なくとも１つの状態の各々と前記少なくとも１つの発光態様の各々との対応関係を記憶する記憶部と
からなり、前記制御部は、前記移動通信端末の状態に関する情報を受信すると、前記記憶部に記憶された対応関係を参照して、該状態に対応する発光態様で発光するよう前記発光部に指示を送る、移動通信端末。
【請求項２】
前記制御部及び前記音声符号化／復号化部に接続されたＶｏＩＰコーデックをさらに含む請求項１に記載の移動通信端末。
【請求項３】
前記発光部は、特定の通信事業者を表すマークの形状に形成されている請求項１に記載の移動通信端末。
【請求項４】
本体装置と、
前記本体装置に着脱可能に接続され、前記本体装置との間で信号の送受信を行う無線通信モジュールとからなる移動通信端末において、
前記本体装置は、第１の制御部と、音声入出力部と、前記第１の制御部及び前記音声入出力部に接続された音声符号化／復号化部と、前記第１の制御部に接続されたデータ入出力部と、前記第１の制御部及び前記音声符号化／復号化部に接続された第１のインターフェース部と、前記第１の制御部に接続され、前記第１の制御部からの指示に応じて少なくとも１つの発光態様で発光する発光部と、前記第１の制御部に接続され、前記移動通信端末についての少なくとも１つの状態の各々と前記少なくとも１つの発光態様の各々との対応関係を記憶する記憶部とからなり、
前記無線通信モジュールは、前記第１のインターフェース部と接続される第２のインターフェース部と、前記第１及び第２のインターフェース部を介して前記第１の制御部と接続された第２の制御部と、前記第２の制御部と接続され且つ前記第１及び第２のインターフェース部を介して前記音声符号化／復号化部と接続された無線通信回路と、前記無線通信回路に接続されたアンテナとからなり、
前記第１の制御部は、前記移動通信端末の状態に関する情報を受信すると、前記記憶部に記憶された対応関係を参照して、該状態に対応する発光態様で発光するよう前記発光部に指示を送る、移動通信端末。
【請求項５】
前記第１の制御部及び前記音声符号化／復号化部に接続されたＶｏＩＰコーデックをさらに含む請求項４に記載の移動通信端末。
【請求項６】
前記発光部は、特定の通信事業者を表すマークの形状に形成されている請求項４に記載の移動通信端末。
【請求項７】
アンテナ及び無線通信回路を有する無線通信モジュールと着脱可能に接続され、前記無線通信モジュールとともに移動通信端末として動作する装置であって、
制御部と、
音声入出力部と、
前記制御部及び前記音声入出力部に接続された音声符号化／復号化部と、
前記制御部に接続されたデータ入出力部と、
前記制御部及び前記音声符号化／復号化部に接続され、前記無線通信モジュールとの間で符号化された音声信号及びデータ信号を送受信するための第１のインターフェース部と、
前記制御部に接続され、前記制御部からの指示に応じて少なくとも１つの発光態様で発光する発光部と、
前記制御部に接続され、前記移動通信端末についての少なくとも１つの状態の各々と前記少なくとも１つの発光態様の各々との対応関係を記憶する記憶部とからなり、
前記制御部は、前記移動端通信端末の状態に関する情報を受信すると、前記記憶部に記憶された対応関係を参照して、該状態に対応する発光態様で発光するよう前記発光部に指示を送る、装置。
【請求項８】
前記制御部及び前記音声符号化／復号化部に接続されたＶｏＩＰコーデックをさらに含む請求項７に記載の装置。
【請求項９】
前記発光部は、特定の通信事業者を表すマークの形状に形成されている請求項７に記載の装置。
【発明の詳細な説明】
【技術分野】
【０００１】
本発明は移動通信端末に関し、より詳細には、端末の状態を第三者に通知する機能を有する移動通信端末に関する。
【背景技術】
【０００２】
ＰＨＳ（Ｐｅｒｓｏｎａｌ  Ｈａｎｄｙｐｈｏｎｅ  Ｓｙｓｔｅｍ）端末や携帯電話端末等、電話機能及び電子メール機能を有する移動通信端末は世の中に広く一般に普及している。このような移動通信端末は場所を選ばず電話をかけたり電子メールを送受信したりすることができる点で便利である。移動通信端末は無線通信を行う端末であるため、アンテナを介して基地局との間で所定の周波数の無線信号を送受信する。移動通信端末には着信音機能が搭載されており、着呼があった場合に所定の着信音を発するように予め設定することが可能である。また、発呼者ごとに異なる着信音を設定しておき、各発呼者からの着信があった場合に対応する着信音を鳴らすことも可能である。
【０００３】
更には、登録されている電話番号と着信した電話番号とを比較し一致している場合、すなわち登録されている電話番号を着信した場合には第１のＬＥＤを点滅又は点灯し、一致していない場合、すなわち登録されていない電話番号を着信した場合には、第２ＬＥＤを点滅または点灯するというものが考えられている（例えば、特許文献１参照）。
【０００４】
そして、背面に表示画面を有する移動通信端末が従来から市販されている。これにより、着信音の使用が制限される状況においても、背面の表示画面に発呼者の電話番号等を表示できる上、折り畳み式の端末であっても、端末を開くことなしにそれらの情報を確認できる。
【０００５】
このような従来の移動通信端末の機能は便利なものである。しかし、ユーザが移動通信端末を使用して通信を行っているときに、当該ユーザ以外の人間に対してその通信の状況を知らせることはできない。したがって、当該移動通信端末が会社からユーザに貸与されており、外線電話用の端末としてだけでなく社内の内線電話用の端末としても使用している場合を想定すると、ユーザが勤務時間中に会社の移動通信端末を用いて私用の外線電話をかけたり、あるいは多額の通話料の発生する通話モードで電話をかけてたりしていても、これらの好ましくない行為をすぐに発見することは困難である。また、医療機関においては、携帯電話端末の使用が制限されていることが多い。そのような状況においてユーザがＰＨＳ端末を使用していたとしても、周囲の人間にとって、その端末が使用の禁じられている携帯電話端末であるのか許可されているＰＨＳ端末であるのかを判断することは難しい。
【０００６】
また、あるユーザの机に置かれた当該ユーザの移動通信端末に何らかの着呼があり、その近くに当該ユーザがいない場合、着呼に気付いた別の人間は、その着呼に関する情報を何ら得ることはできない。もちろん、その端末を手にとれば情報は得られるであろうが、一般的に言って、他人の移動通信端末に触れることはためらわれる。したがって、その端末が内線電話用に使用されており、社内の重要な部署からの緊急の着呼があった場合でも、当該移動通信端末のユーザが端末の傍にいなければ、すぐに対応することはできない。結果として、会社内での業務の円滑な遂行に支障が生じる。
【０００７】
この問題は移動通信端末のユーザ自身にとっても同様に重要である。特に、医療機関等、着信音を鳴らすことが制限されているような特定の場所においては、着呼に関する情報を着信音から得ることもできないため、問題が大きい。
【０００８】
移動通信端末が背面に表示画面を有していても、当該画面に表示できる文字や画像の大きさには限界がある。したがって、移動通信端末を机の上等に置いたままユーザが席から離れた位置にいる場合、ユーザは背面の表示画面に表示される文字や画像をはっきりと認識することができず、着呼についての十分な情報が得られない。すなわち、移動通信端末に誰から電話がかかってきたのか、もしくは誰から電子メールが送られてきたのかといったことが認識できない。結局、ユーザは自分の席まで戻って移動通信端末を手に取り、端末の表示画面に表示される情報を確認する必要がある。
【０００９】
また、移動通信端末を外線電話用だけでなく内線電話用の端末としても使用している場合においても、着信音が鳴らせない状況では、その端末にかかってきている電話が内線と外線のいずれであるのかを認識するためには端末を手にとって確認する必要があり不便である。
【特許文献１】特開平１１−１０３３３４号公報
【発明の開示】
【発明が解決しようとする課題】
【００１０】
本発明の目的は、着信音や画面表示に頼ることなく、ある程度離れた位置からでも、着呼に関する情報等、端末の状態を確認することが可能な移動通信端末を提供することである。さらに、移動通信端末を使用して現在行われている通信が内線電話と外線電話のいずれであるのか、どのような通信モードを利用して行われているのか等の情報をユーザ以外の周囲の人間に伝えることが可能な移動通信端末を実現することを目的としている。
【課題を解決するための手段】
【００１１】
本発明の移動通信端末は、制御部と、音声入出力部と、制御部及び音声入出力部に接続された音声符号化／復号化部と、制御部に接続されたデータ入出力部と、制御部及び音声符号化／復号化部に接続された無線通信回路と、無線通信回路に接続されたアンテナと、制御部に接続され、制御部からの指示に応じて少なくとも１つの発光態様で発光する発光部と、制御部に接続され、移動通信端末についての少なくとも１つの状態の各々と少なくとも１つの発光態様の各々との対応関係を記憶する記憶部とからなる。当該移動通信端末は、移動通信端末の状態に関する情報を受信した制御部が、記憶部に記憶された対応関係を参照して、その状態に対応する発光態様で発光するよう発光部に指示を送るように動作する。
【００１２】
移動通信端末は、制御部及び音声符号化／復号化部に接続されたＶｏＩＰコーデックをさらに含むように構成してもよい。また、発光部は特定の通信事業者を表すマークの形状に形成されてもよい。
【００１３】
本発明の移動通信端末は、本体装置と、当該本体装置に着脱可能に接続され、本体装置との間で信号の送受信を行う無線通信モジュールとからなる。本体装置は、第１の制御部と、音声入出力部と、第１の制御部及び音声入出力部に接続された音声符号化／復号化部と、第１の制御部に接続されたデータ入出力部と、第１の制御部及び音声符号化／復号化部に接続された第１のインターフェース部と、第１の制御部に接続され、第１の制御部からの指示に応じて少なくとも１つの発光態様で発光する発光部と、第１の制御部に接続され、移動通信端末についての少なくとも１つの状態の各々と少なくとも１つの発光態様の各々との対応関係を記憶する記憶部とからなる。一方、無線通信モジュールは、第１のインターフェース部と接続される第２のインターフェース部と、第１及び第２のインターフェース部を介して第１の制御部と接続された第２の制御部と、第２の制御部と接続され且つ第１及び第２のインターフェース部を介して音声符号化／復号化部と接続された無線通信回路と、前記無線通信回路に接続されたアンテナとからなる。当該移動通信端末は、前記移動通信端末の状態に関する情報を受信した第１の制御部が、記憶部に記憶された対応関係を参照して、その状態に対応する発光態様で発光するよう発光部に指示を送るように動作する。
【００１４】
移動通信端末は、第１の制御部及び音声符号化／復号化部に接続されたＶｏＩＰコーデックをさらに含むように構成してもよい。また、発光部は特定の通信事業者を表すマークの形状に形成されてもよい。
【００１５】
アンテナ及び無線通信回路を有する無線通信モジュールと着脱可能に接続され、当該無線通信モジュールとともに移動通信端末として動作する装置であり、制御部と、音声入出力部と、制御部及び音声入出力部に接続された音声符号化／復号化部と、制御部に接続されたデータ入出力部と、制御部及び音声符号化／復号化部に接続され、無線通信モジュールとの間で符号化された音声信号及びデータ信号を送受信するための第１のインターフェース部と、制御部に接続され、制御部からの指示に応じて少なくとも１つの発光態様で発光する発光部と、制御部に接続され、移動通信端末についての少なくとも１つの状態の各々と少なくとも１つの発光態様の各々との対応関係を記憶する記憶部とからなる。制御部は、移動端通信端末の状態に関する情報を受信すると、記憶部に記憶された対応関係を参照して、その状態に対応する発光態様で発光するよう発光部に指示を送る。
【００１６】
当該装置は、制御部及び音声符号化／復号化部に接続されたＶｏＩＰコーデックをさらに含むように構成してもよい。また、発光部は特定の通信事業者を表すマークの形状に形成されてもよい。
【発明の効果】
【００１７】
本発明によれば、着信音や画面表示に頼ることなく、着呼に関する情報等の端末の状態を第三者に通知することが可能な移動通信端末を提供することができる。具体的には、現在の通話が内線であるのか外線であるのか、発信呼なのか着信呼なのか、累積通話時間や累積通話回数が所定の値を超過していないかどうか、通信の相手方は誰なのか、どのような通話モードを利用して通話が行われているのか、どのような通信インフラを利用して通信が行われているのか、端末の電池残量や受信電界強度が所定値以下となっていないかどうか、あるいは、ハンドオーバ動作が行われているか等についての情報を、発光部からの種々の態様の発光という極めて認識しやすい手段によって、即座に通知することができる。
【発明を実施するための最良の形態】
【００１８】
以下において本発明の好ましい一実施例を説明するが、本発明の範囲はこれに限定されるものではない。
【００１９】
本発明の移動通信端末１の構成を図１に示す。移動通信端末１は、従来の移動通信端末内に組み込まれていた無線通信部分を別個の小型モジュールとして独立させた無線通信モジュール１００と、無線通信モジュール１００に対応したインターフェースを有する端末２００（以下、「ジャケット」又は「本体装置」と呼ぶ）とからなる。無線通信モジュール１００とジャケット２００は、例えば、ジャケット２００に設けられたスロットに着脱可能に挿入して使用される。この場合、無線通信モジュール１００を当該スロットに挿入して、無線通信モジュール１００のインターフェース部１２８をジャケット２００のインターフェース部２１８に接続することにより、無線通信モジュール１００とジャケット２００とは全体として移動通信端末１として機能する。無線通信モジュール１００は、アンテナ１０２、アンテナ・スイッチ１０４、送信部１０６及び受信部１０８、変調部１１０及び復調部１１２、時分割多元接続（ＴＤＭＡ）符号化部１１４及びＴＤＭＡ復号化部１１６、ＡＤＰＣＭトランスコーダ等の音声用トランスコーダ１１８、モジュール制御部１２０、ＲＯＭ１２２、ＲＡＭ１２４、電源１２６、インターフェース部１２８からなる。無線通信モジュール１００は、通常のＰＨＳ通信端末における無線通信部の各構成要素を含んでおり、また、例えばＲＯＭ１２２に電話帳等のデータを格納することができるなど、汎用性のある多機能通信モジュールである。
【００２０】
ジャケット２００は、ＰＣＭコーデック２０２等の音声符号化／復号化部、マイク２０４及びスピーカ２０６等の音声入出力部、ジャケット制御部２０８、キーパッド２１０及びディスプレイ２１２等のデータ入出力部、電源２１３、発光部２１４、記憶部２１６及びインターフェース部２１８からなる。発光部２１４は、例えばジャケット２００の背面等に配置される。発光部２１４は、例えば、赤色発光ダイオード、青色発光ダイオード及び緑色発光ダイオードを組み合わせて構成され、各発光ダイオードからの出力光を合成することにより、複数の種類の色の光を発光するが、必ずしもこの構成に限定されない。複数の種類の色の光を発光できるような種々の構成を採用することができる。
【００２１】
無線通信モジュール１００をジャケット２００に接続して音声通信を行う場合の移動通信端末１の動作は以下のようになる。
【００２２】
ユーザの音声はマイク２０４を介してＰＣＭコーデック２０２へ入力されてパルス符号変調される。ここで、ジャケット２００のインターフェース部２１８及び無線通信モジュール１００のインターフェース部１２８は、音声信号の送受信用に使用されるピンとデータ信号の送受信用に使用されるピンとを有している。そして、ＰＣＭコーデック２０２により符号化された音声信号は当該音声用のピンを介して無線通信モジュール１００内のＡＤＰＣＭトランスコーダ等の音声用トランスコーダ１１８へ入力される。音声用トランスコーダ１１８の出力信号は、ＴＤＭＡ符号化部１１４において時分割多元接続（ＴＤＭＡ）用ベースバンド信号に符号変換され、さらに変調部１１０、送信部１０６、アンテナ・スイッチ１０４及びアンテナ１０２を介して無線伝送される。
【００２３】
一方、ユーザによりジャケット２００のキーパッド２１０等の入力装置から入力されたデータはジャケット制御部２０８へと入力され、さらにインターフェース部２１８及び１２８のデータ信号用のピンを介して無線通信モジュール１００のモジュール制御部１２０に入力される。当該データ信号はＴＤＭＡ符号化部１１４に入力され、以降は音声信号と同様にして無線伝送される。
【００２４】
一方、アンテナ１０２において受信された信号は、アンテナ・スイッチ１０４により受信部１０８へ入力される。この受信信号（例えば、１．９ＧＨｚ帯）は、受信部１０８において増幅、周波数変換され、ついで復調部１１２でＴＤＭＡベースバンド信号に復調された後、ＴＤＭＡ復号化部１１６により復号化される。ＴＤＭＡ復号化部１１６から出力された音声信号は音声用トランスコーダ１１８へ入力されてＰＣＭ音声信号へ変換される。ＰＣＭ音声信号は、さらにインターフェース部１２８及び２１８の音声信号用のピンを介してジャケット２００側のＰＣＭコーデック２０２に入力され、アナログ信号に変換されてスピーカ２０６を介して出力される。一方、ＴＤＭＡ復号化部１１６から出力されたデータ信号は、モジュール制御部１２０へと入力され、インターフェース部１２８及び２１８のデータ信号用のピンを介してジャケット制御部２０８へ入力され、キーパッド２１０等を通じてジャケット制御部に伝えられるユーザからの要求に応じてディスプレイ２１２を介して表示等される。
【００２５】
ジャケット２００の記憶部２１６には、移動通信端末１の状態と、各状態における発光部２１４の発光の態様（例えば、発光色及び点滅の態様）とが対応付けて記憶されている。一例を図２に示す。図２の表はあくまでも一例であり、発光部２１４を介して通知したい状態の数や発光部２１４が発行可能な色の数に応じて、これ以外にも様々な組み合わせを採用することが可能である。以下、図２に示す表がジャケット記憶部２１６に記憶されていると仮定して、本発明の移動通信端末１の特徴的な動作を説明する。しかし、図２の表が無線通信モジュール１００のＲＯＭ１２２に記憶されていても、本発明の実施は可能である。
【００２６】
本実施例においては、移動通信端末１は病院の職員が使用する端末であるとし、病院内での内線電話用の端末としても、また、外線電話用の通常の端末としても使用できるものと仮定する。
【００２７】
ユーザが移動通信端末１を使用して電話をかける場合、キーパッド２１０から入力されたり、あるいは記憶部２１６から読み出されたりした通信相手の電話番号はジャケット制御部２０８に送られる。ジャケット制御部２０８は移動通信端末１の状態を監視しており、読み出された当該電話番号に基づいて、ユーザが内線電話をかけているのか、あるいは外線電話をかけているのかを識別する。一例として、当該病院内から外線電話をかける場合に最初に「０」を入力することが予め取り決められており、記憶部２１６にその旨の情報が格納されている場合を考える。この場合、ジャケット制御部２０８は、最初に「０」が入力されたか否かを認識し、記憶部２１６内の当該情報を参照して、ユーザがかけている電話が外線電話であるのか、それとも内線電話であるのかを認識する。そして、ジャケット制御部２０８は、記憶部２１６に格納されている対応表（例えば図２）を参照し、内線電話の場合には、１Ｈｚの点滅周期で青色に発光するよう発光部２１４に指示を送る。また、外線電話の場合には、点滅することなく青色に発光するよう発光部２１４に指示を送る。通話が終了すると、ジャケット制御部はこれを認識して、発光を止めるよう発光部２１４に指示を送る。したがって、通話中のユーザ以外の第三者から見ても、当該ユーザが内線電話をかけているのか外線電話をかけているのかが明確に区別できる。
【００２８】
また、移動通信端末１に対して着信があった場合、相手方の電話番号はジャケット制御部２０８に伝えられ、ジャケット制御部２０８は、当該電話番号に基づいて、当該着信呼が内線であるのか外線であるのかを識別する。例えば、その電話番号が市外局番を含まない場合、ジャケット制御部２０８は着信呼が内線であると識別する。もしくは、記憶部２１６内に病院内の内線電話の番号が予め格納されている場合、ジャケット制御部２０８は、記憶部２１６内の当該情報を参照し、格納されている電話番号の中に相手方の電話番号に一致する番号があった場合に、着信呼が内線であると判断する。そして、ジャケット制御部２０８は、通話中１Ｈｚの点滅周期で青色に発光するよう発光部２１４に指示を送る。一方、相手方の電話番号が市外局番を含む場合や、記憶部２１６内に格納されている内線番号リスト内に含まれない場合には、ジャケット制御部２０８は、着信呼が外線であると識別して、点滅することなく青色に発光するよう発光部２１４に指示を送る。相手方と移動通信端末１との間の通話接続が設定される前においても、設定された後においても、発光部２１４を発光させることが可能である。これにより、通話接続前においては、ユーザ及び第三者の双方に対して、移動通信端末１にかかってきた電話が内線であるのか外線であるのかを、発光部２１４の発光により、着信音によらずに通知することができる。また、通話接続後においては、ユーザ以外の第三者に対して、ユーザが行っている通話が内線と外線のいずれであるのかを通知できる。
【００２９】
本発明の移動通信端末１は、通話中に、当該通話が発信呼であるのか着信呼であるのかを識別して発光部２１４によって外部に通知することもできる。例えば、ユーザがキーパッド２１０内の発着信キーを押下する等して発信を開始すると、移動通信端末１の状態を監視するジャケット制御部２０８はこれを認識し、その後の通話が発信呼であると判断する。そして、記憶部２１６に格納された図２の表を参照して、１Ｈｚの点滅周期で緑色に発光するように発光部２１４に指示を送る。一方、移動通信端末１に着呼があった場合には、ジャケット制御部２０８はこれを認識し、その後の通話が着信呼であると判断する。そして、点滅することなく緑色に発光するよう発光部２１４に指示する。通話の終了を認識すると、ジャケット制御部２０８は発光を止めるよう発光部２１４に指示を送る。
【００３０】
通話が内線電話であり且つ発信呼であるような場合に関しては、例えば図２に示すように、１Ｈｚの点滅周期での青色の発光（２秒間）と１Ｈｚの点滅周期での緑色の発光（２秒間）とを交互に行うことを予め取り決めておいてもよい。ジャケット制御部２０８は、現在の通話が内線電話であることと、移動通信端末１からの発信呼であることとを、上記の例のようにして認識することができるので、記憶部２１６の対応表を参照して、発光部２１４に発光の指示を送信することができる。これにより、２つの状態を同時に表現することができる。
【００３１】
さらに、本発明の移動通信端末１は、予め定められた通話時間や通話回数を超過してユーザが当該端末を使用している場合に、発光部２１４によりその旨を外部に通知することができる。例えば、ジャケット制御部２０８は、タイマー２１９を内蔵し、通話が開始されてから終了するまでの時間をカウントすることができる。この場合、これまでの累積の通話時間と許容される最大限の通話時間とを記憶するように記憶部２１６を構成してもよい。ジャケット制御部２０８は、現在の通話に関して新たにカウントされた通話時間の情報を記憶部２１６に送り、記憶部２１６に記憶された累積通話時間に加算する。累積通話時間が上記最大限の通話時間を超過すると、ジャケット制御部２０８は、記憶部２１６に格納された図２の表を参照して、例えば、１Ｈｚの点滅周期で赤色に発光するように発光部２１４に指示を送る。またこれと同様の構成、例えば、タイマー２１９の代わりに図示しないカウンターを備えることにより、累積通話回数が所定の回数を超過した場合に、発光部２１４を介してその旨を外部に通知することも可能である。ジャケット制御部２０８は、例えば、点滅することなく赤色で発光するように発光部２１４に指示を送る。
【００３２】
また、本発明の移動通信端末１は、通話の相手方を識別して発光部２１４によりその情報を外部に通知することができる。例えば、ユーザが移動通信端末１から電話をかけたり、移動通信端末１への電話を受けたりすれば、移動通信端末１の状態を監視するジャケット制御部２０８は相手方の電話番号を認識して、それを図２の表の内容と照合する。当該電話番号が「相手方１」の電話番号と一致する場合、ジャケット制御部２０８は、１Ｈｚの点滅周期で黄色で発光するよう発光部２１４に指示を送る。同様に、「相手方２」の場合は２Ｈｚ，「相手方３」の場合は３Ｈｚの点滅周期で黄色で発光するように発行部２１４に指示を送る。一方、相手方１〜３のいずれにも該当しない場合には、点滅することなく黄色で発光するよう発光部２１４に指示を送る。相手方１〜３として病院内の重要部署を予め指定しておけば、電話をかけているユーザ以外の周囲の人間も、当該ユーザがそれらの部署に電話しているのか否かを判別することができる。
【００３３】
また、記憶部２１６に格納された対応表において、特定の電子メールアドレスと発光の態様とを関連付けて記憶させておけば、電子メールを受信した際に、当該電子メールの発信者を識別して発光部２１４によりその情報を外部に通知することも可能である。
【００３４】
本発明の移動通信端末１は、通話中に限らず、例えば通話開始前の着信時においても、当該着信に関する情報を発光部２１４を介して外部に通知することができる。例えば、ジャケット制御部２０８は、着信呼の相手方の電話番号を認識し、当該着信呼が内線であるか外線であるかを判断する。着信呼が内線である場合、ジャケット制御部２０８は図２の表を参照し、１Ｈｚの点滅周期で青色に発光するよう発光部２１４に指示を送る。したがって、ユーザ以外の職員も、移動通信端末１に内線電話がかかってきていることを認識できる。ユーザが移動通信端末１を机の上などに置いたまま少し離れた場所にいる場合でも、他の職員が内線電話の着信に気付いてユーザを呼ぶことができる。外線電話の着信時においては、発光部２１４は点滅せずに青色で発光するので、第三者はそれが私用の電話であると判断して無視することができる。また、移動通信端末１が従来の移動通信端末と同様にバイブレータ機能を有しており、着信時に振動するように設定されていれば、当該振動と発光部２１４の発光とにより、着信があったこととその着信の種類とを周囲に明確に通知できるであろう。
【００３５】
本発明の移動通信端末１は、発光部２１４を通じて、現在の通話に使用されている通信インフラに関する情報を外部に通知することができる。例えば、ＶｏＩＰモードでは、発光部２１４を白色で１Ｈｚの点滅で表示し、通常使用時では発光部２１４を白色で点灯し、ＰＨＳ使用状態では、発光部２１４を橙色で１Ｈｚの点滅で表示し、無線ＬＡＮ使用状態では、発光部２１４を橙色で点灯表示する。これにより、各々の状態における通信インフラに関する情報を外部に通知することができる。
【００３６】
また、本発明の移動通信端末１において、ジャケット制御部２０８は、ジャケット２００内の電源２１３あるいはモジュール内の電源１２５の残量を随時チェックして、これが記憶部２１６に予め格納されている所定の値以下となる場合には、１Ｈｚの点滅周期で紫色に発光するよう発光部２１４に指示を送るように構成することもできる。また、ジャケット制御部２０８は、アンテナ１０２において受信される信号の電界強度に関する情報をモジュール制御部１２０から得て、これが記憶部２１６に予め格納されている所定の値以下となる場合には、点滅することなく紫色に発光するように発光部２１４に指示を送るように構成することもできる。これらの機能により、移動通信端末１の充電の状態や電波の受信状態が、ユーザに対してのみならず、その周囲の第三者に対しても明確に通知される。
【００３７】
また、移動通信端末１のハンドオーバの際には、発光部２１４を赤色、青色、黄色を交互に点灯表示する。
【００３８】
図１の移動通信端末１の外観の斜視図を図３に示す。図３の左の図は移動通信端末１の正面側の斜視図であり、右の図は背面側の斜視図である。発光部２１４は背面に配置されている。無線通信モジュール１００はスロット２２０内に挿入される。本発明において、発光部２１４の形状には特に制限はない。発光部２１４は、例えば、特定の通信事業者等の企業を表すマークの形状に構成されてもよい。図３において、発光部２１４は、ＰＨＳ通信事業者である株式会社ウィルコムのロゴの形状を有している。当該形状を採用し、通話中に発光部２１４を株式会社ウィルコムのコーポレートカラーである青色に発光させることにより、既に述べた本発明の効果以外に、移動通信端末１がＰＨＳ端末であることを第三者に認識させることができるという効果を発揮することができる。医療機関等においては、端末が送受信する電波の電界強度の大きい携帯電話端末の使用が制限されていることが多い。したがって、本発明をＰＨＳ端末として実施する場合においては、図３のような構成を採用して、当該端末がＰＨＳ端末であることを外部から認識できるようにすることは有用であると考えられる。
【実施例１】
【００３９】
本発明の他の実施例として、移動通信端末２の構成を図４に示す。移動通信端末２を構成するジャケット３００は、図１のジャケット２００に加えて、ＶｏＩＰコーデック３０３を有している。移動通信端末２は、音声通信を通常のモードで行うのか、それともＶｏＩＰモードで行うのかを、例えばユーザがキーパッド３１０に設けられた所定のボタンを押すなどすることによって選択できるように構成されている。ユーザが通常のモードを選択して電話をかけると、ユーザの音声は、マイク３０４を介してＰＣＭコーデック３０２へ入力されてパルス符号変調される。符号化された音声信号はインターフェース部３１８及び１２８の音声用のピンを介して無線通信モジュール１００内の音声用トランスコーダ１１８へ入力される。音声用トランスコーダ１１８の出力信号は、ＴＤＭＡ符号化部１１４において時分割多元接続（ＴＤＭＡ）用ベースバンド信号に符号変換され、さらに変調部１１０、送信部１０６、アンテナ・スイッチ１０４及びアンテナ１０２を介して無線伝送される。
【００４０】
一方、ユーザがＶｏＩＰモードを選択して電話をかけると、ユーザの音声は、マイク３０４を介してＰＣＭコーデック３０２へ入力されてパルス符号変調される。符号化された音声信号は、さらにＶｏＩＰコーデック３０３に入力されてＩＰパケット化され、ジャケット制御部２０８に入力される。当該ＩＰパケット化された音声信号は、インターフェース部３１８及び１２８のデータ信号用のピンを介して無線通信モジュール１００のモジュール制御部１２０に入力される。当該データ信号はＴＤＭＡ符号化部１１４に入力され、以降は通常モードの音声信号と同様にして無線伝送される。
【００４１】
ユーザによる通信モード（ＶｏＩＰモード又は通常モード）の選択に関する指示は、キーパッド３１０を介するなどしてジャケット制御部３０８に伝えられるので、ジャケット制御部３０８は、現在行われている通話の通信モードを把握できる。したがって、ジャケット制御部３０８は、記憶部３１６に格納されている対応表（例えば、図２の表）を参照して、ＶｏＩＰモードの場合には１Ｈｚの点滅周期で白色に発光するように発光部３１４に指示を送り、通常モードの場合には点滅することなく白色に発光するように発光部３１４に指示を送ることができる。したがって、移動通信端末２のユーザ以外の第三者も、当該ユーザがいずれの通信モードを利用しているかが容易に判断することができる。ＶｏＩＰモードでの通話が義務付けられているような場合には、社員が規則に反していないかどうかを容易にチェックできる。
【実施例２】
【００４２】
本発明は、図１及び図４に示すような構成の移動通信端末に限らず、一般的な構成の移動通信端末としても実施することができる。このような移動通信端末３の構成を図５に示す。移動通信端末３は、アンテナ４０２、無線通信回路４０４、ＡＤＰＣＭトランスコーダ等の音声用トランスコーダ４０６、ＰＣＭコーデック４０８等の音声符号化／復号化部、制御部４１０、マイク４１２及びスピーカ４１４等の音声入出力部、キーパッド４１６及びディスプレイ４１８等のデータ入出力部、電源４２０、発光部４２２及び記憶部４２４からなる。無線通信回路４０４は、図１のアンテナ・スイッチ１０４、送信部１０６及び受信部１０８、変調部１１０及び復調部１１２、及びＴＤＭＡ符号化部１１４及びＴＤＭＡ復号化部１１６に相当する。
【００４３】
移動通信端末３の記憶部４２４には、移動通信端末３の状態と、各状態における発光部４１８の発光の態様（例えば、発光色及び点滅の態様）とが対応付けて記憶されている（一例としては図２を参照）。図２の表はあくまでも一例であり、これ以外にも様々な組み合わせを採用できる。
【００４４】
移動通信端末３は病院の職員が使用する端末であるとし、病院内での内線電話用の端末、及び外線電話用の通常の端末として使用できるものと仮定する。ユーザが移動通信端末３を使用して電話をかける場合、キーパッド４１６から入力されたり、あるいは記憶部４２４から読み出されたりした通信相手の電話番号は制御部４１０に送られる。制御部４１０は、当該電話番号に基づいて、ユーザが内線電話をかけているのか、あるいは外線電話をかけているのかを識別する。一例として、当該病院内から外線電話をかける場合に最初に「０」を入力することが予め取り決められており、記憶部４２４にその旨の情報が格納されている場合を考える。この場合、制御部４１０は、最初に「０」が入力されたか否かを認識し、記憶部４２４内の当該情報を参照して、ユーザがかけている電話が外線電話であるのか、それとも内線電話であるのかを認識する。そして、制御部４１０は、記憶部４２４に格納されている対応表（例えば図２）を参照し、内線電話の場合には、１Ｈｚの点滅周期で青色に発光するよう発光部４２２に指示を送る。また、外線電話の場合には、点滅することなく青色に発光するよう発光部４２２に指示を送る。通話が終了すると、ジャケット制御部はこれを認識して、発光を止めるよう発光部４２２に指示を送る。したがって、通話中のユーザ以外の第三者から見ても、当該ユーザが内線電話をかけているのか外線電話をかけているのかが明確に区別できる。
【００４５】
以上は通話が内線電話であるか外線電話であるのかを外部に通知する機能の説明であるが、図５に示す本発明の移動通信端末３の構成により、上述の移動通信端末１の場合と同様の種々の顕著な効果が得られることは当業者に明らかである。
【実施例３】
【００４６】
また、図５の移動通信端末３の構成を変更し、ＶｏＩＰコーデック５０８を有するようにした移動通信端末４の構成を図６に示す。移動通信端末４は、音声通信を通常のモードで行うのか、それともＶｏＩＰモードで行うのかを、例えばユーザがキーパッド５１６に設けられた所定のボタンを押すなどすることによって選択できるように構成されている。図６に示す本発明の移動通信端末４の構成により、上述の移動通信端末２の場合と同様の種々の顕著な効果が得られることは当業者に明らかである。
【００４７】
以上の各実施例においては、本発明の移動通信端末が、図２の表に記載した各状態を発光部による異なった発光態様によって通知できることを説明した。しかし、同様の構成により、本発明の移動通信端末が、図２に示されていないその他の端末状態についても同様に外部に通知できることは当業者にとって明らかである。また、本明細書においては、本発明をＰＨＳ端末として実施した例について詳細に説明した。しかしながら、本発明の技術的思想はＰＨＳ端末に限定されるものではない。本発明においては、移動通信端末が、複数の色で発光することが可能な発光部と、移動通信端末の様々な状態（内線／外線、発信／着信等）と発光部の発光態様とを対応付けた表を格納する記憶部とを有しており、移動通信端末の種々の状態に応じて、当該制御部が記憶部内の対応表を参照して発光部に指示を送るように構成されていることを主な特徴としている。したがって、本発明を携帯電話端末として実施した場合においても同様の効果が得られることは当業者にとって明らかである。
【図面の簡単な説明】
【００４８】
【図１】本発明の移動通信端末の一実施例の構成図である。
【図２】移動通信端末の状態と、各状態における発光部の発光の態様との対応表の一例である。
【図３】図１に示す本発明の移動通信端末の外観の斜視図である。
【図４】本発明の移動通信端末の一実施例の構成図である。
【図５】本発明の移動通信端末の一実施例の構成図である。
【図６】本発明の移動通信端末の一実施例の構成図である。
【図１】
2008166953.tif 000003
【図２】
2008166953.tif 000004
【図３】
2008166953.tif 000005
【図４】
2008166953.tif 000006
【図５】
2008166953.tif 000007
【図６】
2008166953.tif 000008